(57)【特許請求の範囲】
【請求項１】
間伐材からなる複数本の角材を中央に方形空隙部を開口して金属フレーム台に嵌合掛け渡して並置してテーブルに組立て、該テーブルの中央の方形空隙部に二重金属枠体からなる方形コンロを装填し、装填した方形コンロ周辺の角材上に方形コンロを吊り下げた吊り下げ用金属帯板の上端から水平に張り出す張出フランジを載置し、方形コンロの重量により角材を張出フランジにより押えて固定している間伐材を用いたバーベキュー用コンロ付き組立テーブルにおいて、金属フレーム台は、水平板と垂直板を断面Ｌ形に形状化した金属Ｌ形材（以下、「金属Ｌ形材」という。）からなり、かつ端に垂直係止板を有する２本の長尺金属Ｌ形材を水平かつ平行に離間し、かつ水平板を内側にして対称配置し、金属Ｌ形材の水平板が幅広水平板である２本の中尺幅広金属Ｌ形材を中央にコンロ装填用の方形空隙部を設けて該２本の長尺金属Ｌ形材間に接続して水平かつ平行に離間し、かつ幅広水平板を外側にして対称配置し、さらに２本の短尺金属Ｌ形材を中央にコンロ装填用の方形空隙部を設けて該２本の中尺幅広金属Ｌ形材間に接続して水平かつ平行に離間し、かつ水平板を外側にして対称配置して金属フレームに組立て、該金属フレームの幅広水平板端部からなる４隅に間伐材からなるテーブル脚をそれぞれ取り外し自在に取付けたことを特徴とする間伐材を用いたバーベキュー用コンロ付き組立テーブル。
【請求項２】
２本の中尺幅広金属Ｌ形材は、それぞれの中央で分断され、分断端部が接続当板により接続されていることを特徴とする請求項１に記載の間伐材を用いたバーベキュー用コンロ付き組立テーブル。
【請求項３】
間伐材からなる複数本の角材は、２本の長尺金属Ｌ形材の間隔より長く、かつ、金属フレーム台の長尺金属Ｌ形材の端の垂直係止板と中尺幅広金属Ｌ形材の垂直板との間に嵌合掛け渡されて並置された複数本の長尺角材と、２本の中尺幅広金属Ｌ形材の間で長尺金属Ｌ形材と短尺金属Ｌ形材に掛け渡される短尺角材からなり、該長尺角材の長尺金属Ｌ形材の垂直板と当接する部分には該垂直板が嵌合される切込みスリットを角材下面から形成し、かつ、短尺角材の内側端は短尺金属Ｌ形材に当接し、かつ当接する内側端に下方から短尺金属Ｌ形材の垂直板が嵌合する欠け継ぎ状の凹部を短尺角材下面から形成したことを特徴とする請求項１又は２に記載の間伐材を用いたバーベキュー用コンロ付き組立テーブル。
【請求項４】
テーブル中央の方形空隙部への方形コンロの装填は、複数本の角材を金属フレーム台に嵌合掛け渡して並置して組立てたテーブルの中央に開口する方形空隙部周辺の角材上に金属Ｌ形材の水平板を載置して張出フランジとすると共に該水平板の内側から下方に折曲げられた垂直板を配設し、該垂直板に方形コンロの吊り下げ用金属帯板を取付け、該吊り下げ用金属帯板の下方先端部を内側に水平に折曲げて方形コンロの縦壁受け具に形成し、該縦壁受け具を該方形空隙部に装填した方形コンロの縦壁に嵌合して該方形コンロを張出フランジによりテーブルの角材に吊り下げ保持せしめたことを特徴とする請求項１ないし３のいずれか１項に記載の間伐材を用いたバーベキュー用コンロ付き組立テーブル。
【請求項５】
吊り下げ用金属帯板は、その垂直長さが方形コンロの縦壁の垂直長さより短く形成され、方形コンロの縦壁上端からの垂直長さが該吊り下げ用金属帯板の垂直長さと同長の縦壁下部位置に吊り下げ用金属帯板の縦壁受け具を挿入する挿入穴を開口し、吊り下げ用金属帯板の縦壁受け具の嵌合を方形コンロの縦壁下端への嵌合または該挿入穴への嵌合のいずれかに選択自在とし、方形コンロの使用時は方形コンロの縦壁下端に吊り下げ用金属帯板の縦壁受け具を嵌合して吊り下げて方形コンロの上部をテーブル上から突出させ、方形コンロの未使用時には方形コンロの縦壁下部の挿入穴に吊り下げ用金属帯板の縦壁受け具を嵌合して吊り下げて方形コンロ上端をテーブル上面より下に収納して方形コンロ上端とテーブル上面間に形成される方形凹部にその凹部深さの板厚からなる蓋板を載置してテーブル面を面一とすることを特徴とする請求項４に記載の間伐材を用いたバーベキュー用コンロ付き組立テーブル。
【発明の詳細な説明】
【０００１】
【発明の属する技術分野】
本発明は、檜などの間伐材を有効利用して家庭やキャンプなどのアウトドアライフでガーデニングパーティーのバーベキューなどをする際に使用するコンロ付き組立テーブルに関するものである。
【０００２】
【従来の技術】
日本の国土面積の７割弱に当たる森林面積のうち、人工林は森林面積の４１％にあたる１千万ヘクタールある。これらの人工林の中４割は間伐などの手入れが必要とされている。しかし、この間伐には労働力や資金がかかるので、得られた間伐材に如何に価値を持たせて利用するかが最大の課題となっている。
【０００３】
一方、家庭にウッドデッキを設けて楽しむガーデニングやキャンプなどのアウトドアライフをエンジョイすることが日常的になってきて、ガーデニングパーティーやキャンプでバーベキューなどが催されている。ところで、これらのバーベキューようのテーブルは、家庭のウッドデッキ用としては通常の家具テーブルあるいはウッドデッキに作り付けのテーブルや金属の鋳物のテーブルなどが使用され、野外用としては簡易に折り畳んで持ち運び可能な、ときには椅子も付属して折り畳めるタイプの金属製のテーブルが一般に市販されている。しかし、これらはテーブルとは別の場所にバーベキュー用のコンロを設置するものや、テーブルの上に小さなコンロを直接載せて使用するものである。
【０００４】
テーブルにコンロが付設されたものは、営業用の焼き肉やお好み焼き用などにあり、また、家庭用でもコンロ付きのテーブルはある。しかし、これらのテーブルは一体化したテーブルで、容易に持ち運びすることはできない。
【０００５】
【発明が解決しようとする課題】
本発明は、上記の従来の問題点を解決するもので、間伐材を有効利用することにより重厚な本格的なテーブルとするとともに、このテーブルを組立式とすることで、使用しないときには、分解してその容積を小さくして仕舞い込むことで家庭のウッドデッキや庭を広々とすることができ、さらにキャンプなどには、容易に運搬でき、しかも容易に短時間でクギなどやねじを使用することなく頑強な構造に組立てることができ、また、バーベキュー用コンロをテーブルの中央部に組み込むことができるものとしたバーベキュー用コンロ付き組立テーブルを提供することである。
【０００６】
【課題を解決するための手段】
上記の課題を解決するための本発明の手段は、請求項１の発明では、間伐材からなる複数本の角材を中央に方形空隙部を開口して金属フレーム台に嵌合掛け渡して並置してテーブルに組立て、該テーブルの中央の方形空隙部に二重金属枠体からなる方形コンロを装填し、装填した方形コンロ周辺の角材上に方形コンロを吊り下げた吊り下げ用金属帯板の上端から水平に張り出す張出フランジを載置し、方形コンロの重量により角材を張出フランジにより押えて固定している間伐材を用いたバーベキュー用コンロ付き組立テーブルにおいて、金属フレーム台は、水平板と垂直板を断面Ｌ形に形状化した金属Ｌ形材からなり、かつ端に垂直係止板を有する２本の長尺金属Ｌ形材を水平かつ平行に離間し、かつ水平板を内側にして対称配置し、金属Ｌ形材の水平板が幅広水平板である２本の中尺幅広金属Ｌ形材を中央にコンロ装填用の方形空隙部を設けて該２本の長尺金属Ｌ形材間に接続して水平かつ平行に離間し、かつ幅広水平板を外側にして対称配置し、さらに２本の短尺金属Ｌ形材を中央にコンロ装填用の方形空隙部を設けて該２本の中尺幅広金属Ｌ形材間に接続して水平かつ平行に離間し、かつ水平板を外側にして対称配置して金属フレームに組立て、該金属フレームの幅広水平板端部からなる４隅に間伐材からなるテーブル脚をそれぞれ取り外し自在に取付けたことを特徴とする間伐材を用いたバーベキュー用コンロ付き組立テーブルである。
【０００７】
請求項２の発明では、２本の中尺幅広金属Ｌ形材は、それぞれの中央で分断され、分断端部が接続当板により接続されていることを特徴とする請求項１の手段の間伐材を用いたバーベキュー用コンロ付き組立テーブルである。
【０００８】
請求項３の発明では、間伐材からなる複数本の角材は、２本の長尺金属Ｌ形材の間隔より長く、かつ、金属フレーム台の長尺金属Ｌ形材の端の垂直係止板と中尺幅広金属Ｌ形材の垂直板との間に嵌合掛け渡されて並置された複数本の長尺角材と、２本の中尺幅広金属Ｌ形材の間で長尺金属Ｌ形材と短尺金属Ｌ形材に掛け渡される短尺角材からなり、該長尺角材の長尺金属Ｌ形材の垂直板と当接する部分には該垂直板が嵌合される切込みスリットを角材下面から形成し、かつ、短尺角材の内側端は短尺金属Ｌ形材に当接し、かつ当接する内側端に下方から短尺金属Ｌ形材の垂直板が嵌合する欠け継ぎ状の凹部を短尺角材下面から形成したことを特徴とする請求項１又は２の手段の間伐材を用いたバーベキュー用コンロ付き組立テーブルである。
【０００９】
請求項４の発明では、テーブル中央の方形空隙部への方形コンロの装填は、複数本の角材を金属フレーム台に嵌合掛け渡して並置して組立てたテーブルの中央に開口する方形空隙部周辺の角材上に金属Ｌ形材の水平板を載置して張出フランジとすると共に該水平板の内側から下方に折曲げられた垂直板を配設し、該垂直板に方形コンロの吊り下げ用金属帯板を取付け、該吊り下げ用金属帯板の下方先端部を内側に水平に折曲げて方形コンロの縦壁受け具に形成し、該縦壁受け具を該方形空隙部に装填した方形コンロの縦壁に嵌合して該方形コンロを張出フランジによりテーブルの角材に吊り下げ保持せしめたことを特徴とする請求項１ないし３のいずれか１項の手段の間伐材を用いたバーベキュー用コンロ付き組立テーブルである。
【００１０】
請求項５の発明では、吊り下げ用金属帯板は、その垂直長さが方形コンロの縦壁の垂直長さより短く形成され、方形コンロの縦壁上端からの垂直長さが該吊り下げ用金属帯板の垂直長さと同長の縦壁下部位置に吊り下げ用金属帯板の縦壁受け具を挿入する挿入穴を開口し、吊り下げ用金属帯板の縦壁受け具の嵌合を方形コンロの縦壁下端への嵌合または該挿入穴への嵌合のいずれかに選択自在とし、方形コンロの使用時は方形コンロの縦壁下端に吊り下げ用金属帯板の縦壁受け具を嵌合して吊り下げて方形コンロの上部をテーブル上から突出させ、方形コンロの未使用時には方形コンロの縦壁下部の挿入穴に吊り下げ用金属帯板の縦壁受け具を嵌合して吊り下げて方形コンロ上端をテーブル上面より下に収納して方形コンロ上端とテーブル上面間に形成される方形凹部にその凹部深さの板厚からなる蓋板を載置してテーブル面を面一とすることを特徴とする請求項４の手段の間伐材を用いたバーベキュー用コンロ付き組立テーブルである。
【００１１】
【発明の実施の形態】
本発明の実施の形態を図面を参照して説明する。先ず、間伐材からなる複数本の角材２を中央に方形空隙部５を開口して金属フレーム台７に嵌合掛け渡して並置してテーブル８に組立てている。このテーブル８の中央の方形空隙部５に二重金属枠体９からなる方形コンロ１０を装填する。この場合、装填する方形コンロ１０の周辺の角材２の上に方形コンロ１０の吊り下げ用金属帯板１１の上端１２から水平に張り出した張出フランジ１３を載置する。そしてこの吊り下げ用金属帯板１１に方形コンロ１０を吊り下げる。この吊り下げにより、方形コンロ１０の重量が張出フランジ１３からテーブル８の角材２に掛かって角材２を押えることとなり、角材２をきっちりと固定して間伐材を用いたバーベキュー用コンロ付き組立テーブル１が形成されている。
【００１２】
この場合、図１に示すように、金属フレーム台７は金属フレーム６に間伐材からなるテーブル脚２８を取付けて形成している。この実施の形態では、テーブル脚２８は丸材であるが角材であってももちろんよい。ところで、金属フレーム６は、表面処理鋼板からなる金属板をブレス加工して、水平板１４と垂直板１５からなる断面Ｌ形１６に形状化した金属Ｌ形材１７としたものを素材としたものから形成している。すなわち、この素材を用いて、端１８に垂直係止板１９を有する長尺金属Ｌ形材１９を形成する。長尺金属Ｌ形材１９の長さはテーブル８の長さとする。この２本の長尺金属Ｌ形材１９を互いに離間して水平かつ平行に、かつ、互いの水平板１４を内側に向けて、テーブル８の長さよりやや狭幅に対称的に配置する。
【００１３】
さらに金属Ｌ形材１７の水平板１４が幅広水平板２２である中尺幅広金属Ｌ形材２１を素材とする。この場合、中尺幅広金属Ｌ形材２１の幅広水平板２２の垂直板１５と反対側の端部は中尺幅広金属Ｌ形材２１を剛性にするために垂直に折り曲げた高さの低い補強立ち上げ部２５に形成されている。さらに、中尺幅広金属Ｌ形材２１の垂直板１５と幅広水平板２２にはそれぞれ孔２３と孔２４を複数個開口して軽量化している。このように準備した２本の中尺幅広金属Ｌ形材２１を中央にコンロ装填用の方形空隙部５を設けて水平かつ平行に離間して、２本の長尺金属Ｌ形材２０、２０の間に配置する。これら長尺金属Ｌ形材２０とは中尺幅広金属Ｌ形材２１の端部を突設して溶接により接続している。この場合、２本の中尺幅広金属Ｌ形材２１、２１の各幅広水平板２２は外側に向けて対称的に配置している。
【００１４】
さらに２本の短尺金属Ｌ形材２６、２６を中央にコンロ装填用の方形空隙部５を設けて水平かつ平行に離間し、２本の中尺幅広金属Ｌ形材２１、２１の間に短尺金属Ｌ形材２６の端部を溶接により突接して接続している。この場合、２本の短尺金属Ｌ形材２６、２６の各水平板１４は外側に向けて対称的に配置している。さらに、短尺金属Ｌ形材２６の垂直板１５には孔２４を複数個開口して軽量化している。
【００１５】
上記の構成をした長尺金属Ｌ形材２０と中尺幅広金属Ｌ形材２１と短尺金属Ｌ形材２６から金属フレーム６は組立てられる。
【００１６】
以上のように組立てた金属フレーム６の中尺幅広金属Ｌ形材２１の幅広水平板２２の端部３４からなる４隅３５に間伐材から造った各テーブル脚２８をそれぞれ取り外し自在に取付けて金属フレーム台７に形成している。この中尺幅広金属Ｌ形材２１の幅広水平板２２へのテーブル脚２８の取付けは、図２の（ａ）に示すように、テーブル脚２８の上部の中央に上端から締結用のボルト３０を通すボルト孔３１を上端から開口する。一方、テーブル脚２８の上部の側面にボルト締結用のワッシャーとなるねじ孔３３ａを有するボルトねじ付き鉄棒３３を挿入する開口部３２を水平に設け、この開口部３２にボルトねじ付き鉄棒３３を通しておく。ボルトねじ付き鉄棒３３は、図２の（ｂ）に示すように、例えば全長７０ｍｍからなり、その中心に１２ｍｍのタップをたててねじ孔３３ａを開口している。このボルトねじ付き鉄棒３３の開口部３２の部分をフレーム台７に取付けたときに隠れるようにフレーム台７の中心方向に向け、中尺幅広金属Ｌ形材２１の幅広水平板２２の裏面側からテーブル脚２８の上端を当て、テーブル脚２８のボルト孔３１を幅広水平板２２のボルト孔２９に合わせてボルト３０を幅広水平板２２の上から差し込み、テーブル脚２８の開口部３２に通したボルトねじ付き鉄棒３３のねじ孔にねじ螺合して締結してフレーム台７とする。
【００１７】
ところで、１実施の形態として、図１に示すように、中尺幅広金属Ｌ形材２１はその中央部で分断したものとすることができる。このように分断した中尺幅広金属Ｌ形材２１の分断端部３６、３６は突き合わせ、幅広水平板２２の下部から両端に幅広水平板２２の係止部４０、４０を有する当て板３８を当てがって、幅広水平板２２のねじ孔３７と当て板３８のねじ孔３９にねじ４０により接続して１本の中尺幅広金属Ｌ形材２１とする。このような当て板３８による接続構造とすることで、金属フレーム６は中尺幅広金属Ｌ形材２１の中間で２つに分割した金属フレーム半体６ａとして小さくして取り扱いを容易とし、テーブル８を分解して片づける際に収納場所を小さくする。
【００１８】
ところで、組立てテーブル１に使用する間伐材からなる複数本の角材２は長尺角材３と短尺角材４からなるものとする。この実施の形態では、間伐材は檜の間伐材とし、これらの間伐材は、乾燥による割れの発生を防止するために使用時に外部から見えない隠れた側に慣用の背割りを入れる。
【００１９】
長尺角材３は金属フレーム台７の２本の長尺金属Ｌ形材２０、２０の間隔より長い長さに形成される。これらの長尺角材３は、長尺金属Ｌ形材２０の端１８の部分を垂直に折り曲げて形成した垂直係止板１９と中尺幅広金属Ｌ形材２１の垂直板１５との間に複数本を並置して、２本の長尺金属Ｌ形材２０、２０の上に掛け渡される。この場合、各長尺角材３の下面の長尺金属Ｌ形材２０の垂直板１５と当接する部分には、この垂直板１５が嵌入できる切込みスリット４２を長尺角材３の中心に向けて形成する。さらに並置して掛け渡す複数本の長尺角材３のうち、テーブルの最も外側となる長尺角材３の外側面には、長尺金属Ｌ形材２０の端１８の垂直係止板１９が嵌入できる凹み２０ａが形成され、さらに中尺幅広金属Ｌ形材２１の垂直板１５と当接する最も内側に掛け渡される長尺角材３には、その中尺幅広金属Ｌ形材２１の垂直板１５と当接する長尺角材３の側面は該垂直板１５と相欠け継ぎを形成するように下面側から切り欠かれて欠け継ぎ凹部４５が形成されている。
【００２０】
一方、短尺角材４は間に方形空隙部５を形成する２本の中尺幅広金属Ｌ形材２１、２１の間で、長尺金属Ｌ形材２０と短尺金属Ｌ形材２６に掛け渡される。各短尺角材４の長尺金属Ｌ形材２０の垂直板１５と当接する部分には短尺角材４の下面から垂直板１５が嵌入される切込みスリット４２が形成されており、さらに短尺角材４の内側端４４は短尺金属Ｌ形材２６の垂直板１５と当接する部分がこの垂直板１５と相欠け継ぎを形成するように下面側から切り欠かれて欠け継ぎ凹部４６が形成されている。
【００２１】
以上の長尺角材３と短尺各材４が金属フレーム台７の金属フレーム６に嵌合して中央に方形コンロ１０を装填する方形空隙部５を開口して掛け渡してテーブル８に組上がると、テーブル８の中央の方形空隙部５への方形コンロ１０を装填する。この方形コンロ１０の装填のために、先ず複数本の長尺角材３と短尺角材４を金属フレーム台７に嵌合掛け渡して並置して組立てたテーブル８の中央に開口する方形空隙部５の周辺の短尺角材４に金属Ｌ形材１７の垂直板１５を下向きに配置して短尺角材４の短尺角材４の内側端部から方形空隙部５内に垂下し、この金属Ｌ形材１７の水平板１４を張出フランジ１３として短尺角材４の上に載置するものとする。さらに、図７に示すように、この金属Ｌ形材１７の水平板１４の張出フランジ１３の内側から下方に折られた垂直板１５に、この例では２枚の方形コンロの吊り下げ用金属帯板１１をスポット溶接して取付けている。この吊り下げ用金属帯板１１の下方先端部４７を水平内側に折曲げて方形コンロの縦壁受け具４９に形成する。この縦壁受け具４９は方形空隙部５に装填する方形コンロ１０の縦壁４８の下部に嵌合して方形コンロ１０を張出フランジ１３によりテーブル８の短尺角材４に吊り下げ保持せしめる。
【００２２】
ところで、吊り下げ用金属帯板１１は、その垂直長さ５１が方形コンロ１０の縦壁４８の垂直長さ５２より短く形成されている。方形コンロ１０の縦壁上端５０からの垂直長さ５２がこの吊り下げ用金属帯板１１の垂直長さ５１と同じ長さとなる縦壁下部位置５３に吊り下げ用金属帯板１１の縦壁受け具４９を挿入する挿入穴５４を形成して開口する。このようにすることで、吊り下げ用金属帯板１１の縦壁受け具４９の嵌合は方形コンロ１０の縦壁下端５５または挿入穴５４のいずれかに選択できるものとする。方形コンロ１０を使用する時は、方形コンロ１０のの縦壁下端５５を吊り下げ用金属帯板１１の縦壁受け具４９で下側から嵌合して受けて方形コンロ１０を吊り下げ、方形コンロ１０の上部をテーブル８の上から突出させて、方形コンロ１０の上にバーベキュー用の金串や網を載せ易くする。一方、方形コンロ１０の使用しない時には、方形コンロ１０の縦壁下部位置５３の挿入穴５４に吊り下げ用金属帯板１１の縦壁受け具４９を挿入して方形コンロ１０を吊り下げ、方形コンロ１０の上端５６をテーブル８の上面より下方に落とし込んで収納し、方形コンロ１０の上端５６とテーブル８の上面５７との間に方形凹部５８を形成する。そしてこの方形凹部５８には、方形凹部５８の深さを有する板厚からなる蓋板５９を装着して、蓋板５９の上面６０をテーブル８の上面５７と面一にし、この全面が平らなテーブル８に形成できるものとする。
【００２３】
本発明の間伐材を用いたバーベキュー用コンロ付き組立テーブル１を組立て方法について説明する。先ず、図１に示すように、金属フレーム６の半体６ａを中尺幅広金属Ｌ形材２１の分断端部３６、３６で突き合わせ、この部分に当て板３８を下面から当てがってねじ４０で接合して一体の金属フレーム６に組立て、この金属フレーム６の下側に４本のテーブル脚２８をそれぞれボルト３０により接合して金属フレーム台７とする。次いで、図３に示すように、金属フレーム台７に、この実施の形態では、片側に４本ずつ、両側で８本の長尺角材３を嵌合して掛け渡し、さらにそれらの間に左右６本ずつの短尺角材４を掛け渡して、図４に示すように、中央に方形空隙部５を開口した組立てテーブルとする。得られた組立てテーブルの大きさは、例えば、高さ６８０ｍｍ、幅９１０ｍｍ、奥行き８５０ｍｍである。ところで実際の組立に作業においては、短尺角材４の各６本のうち、中央の２本を除く４本ずつを向かい合わせで８本の短尺角材４を掛け渡して、図５に示すように、中央に方形コンロ１０を装着するための方形空隙部５を開口したテーブル８にする。
【００２４】
一方、図７に示す金属Ｌ形材１７に取付けた吊り下げ用金属帯板１１の方形コンロ１０の縦壁４８を受ける縦壁受け具４９を、図５および図６に示すように、方形コンロ１０の縦壁下端５５に係合して、吊り下げ用金属帯板１１の上端１２に取付けた金属Ｌ形材１７の水平板１４からなる張出フランジ１３を短尺角材４上に載置する。ところで方形コンロ１０は重量が１０ｋｇを超える重さがあので、方形空隙部５内に降ろす場合には、方形コンロ１０を吊り下げた吊り下げ用金属帯板１１の上部の張出フランジ１３の中央部を指で支持して、一方、図５に示すように、短尺角材４のテーブル８の中央の左右２本の短尺角材４を抜いておき、この状態で矢印６１の方向に方形コンロ１０を方形空隙部５に降ろす。このようにすると手指を張出フランジ１３と短尺角材４との間で挟むことはない。そして、この後、抜いた中央の左右２本の短尺角材４の先端を矢印６１のように横から挿入して張出フランジ１３の下に差し込み、さらに切込みスリット４２を長尺金属Ｌ形材２０の垂直板１５に嵌合する。方形コンロ１０の上端５６をテーブル８の上面５７から上方に位置させてバーベキュー用コンロ付き組立テーブル１はコンロ使用するための組立ては完了する。この組立状態で、テーブル８の上面５７を形成する角材のうち短尺角材４は張出フランジ１３で下方に押えつけられているので、それぞれの短尺角材４は単に金属フレーム６に載置しているだけであるにもかかわらず、方形コンロ１０を取り除かない限り、短尺角材４はテーブルから外れ落ちることはない。なお長尺角材３は長尺金属Ｌ形材２０の垂直板１５にそれぞれ２点で切込みスリット４２により嵌合されているので安定である。テーブル８の方形空隙部５の大きさは、例えば幅４０５ｍｍ、奥行き３４５ｍｍである。
【００２５】
この方形空隙部５に装填されるバーベキュー用の方形コンロ１０の大きさは、例えば、高さ４３５ｍｍ、幅３９５ｍｍ、奥行き３３５ｍｍで、約６ないし７人用の能力を有する。この方形コンロ１０の材質は、表面処理鋼板、またはステンレス鋼板からなる二重構造の内外枠間に空隙を設けた金属枠からなり、外枠は多数の小孔がパンチングにより抜かれて、冷却効果を高めており、内枠の燃焼室は燃焼空気調節口を絞り込み、かつ、火床の部分深くしているので、煙突効果で燃焼空気の引きが良く、遠火の強火がえられて熱効率にも優れ、少量の炭で強い火力が維持でき、かつ、風にも影響されることなく、優れた遠赤外線効果で、コンロ上の食材を焦がすことなく芯までムラなくふっくら、かつこんがりと焼き上げてうま味を引き出すものである。
【００２６】
さらに、方形コンロ１０をテーブル８の下方に降ろして、テーブル８の上面５７に蓋板５９を被せて面一のテーブル８とする場合は、上記の吊り下げ用金属帯板１１で吊り下げた方形コンロ１０を吊り下げ用金属帯板１１ごとテーブル８から取り出し、図６の（ｂ）に示すように、方形コンロ１０の縦壁４８の下部壁面に開口する挿入穴５４に吊り下げ用金属帯板１１の縦壁受け具４９を挿し替え、吊り下げ用金属帯板１１の上端１２に取付けた金属Ｌ形材１７の張出フランジ１３よりも方形コンロ１０の上端５６を下にして吊り下げ直し、この状態でこれらをテーブル８の方形空隙部５内に再度装着する。そして、得られた方形凹部５８に蓋板５９を被せて、組立ては終了する。
【００２７】
これらの組立てられたバーベキュー用コンロ付き組立テーブル１の組立てを分解するときは、図１１に示すように、上記の手順を逆にして行うもので、先ず、短尺角材４の中央の左右２本を矢印６４の方向に外す。次いで、方形コンロ１０を吊り下げ用金属帯板１１の張出フランジ１３により矢印６３の方向にテーブル８から取り出し、さらに残りの短尺角材４を矢印６４の方向に外して、さらに長尺角材３を上方に外して取り除いて金属フレーム台７する。次いで、ボルト３０を緩めて外して、金属フレーム６とテーブル脚２８に分解する。さらに金属フレーム６から当て板３８を外して、金属フレーム半体６ａとして、組み外しは終わる。もちろん、蓋板５９を有する面一のテーブル８の場合は、先ず蓋板５９を取り外すことから始まり、後は、上記と同様とすることはいうまでもない。
【００２８】
以上のように、本発明のバーベキュー用コンロ付き組立テーブル１は各角材の取付けにクギやねじなどを使用していないが安定で頑強なテーブルに組立てることができるので、組立て時間が極めて短く、また、分解する時間も同様に極めて短く、従って、野外のキャンプなどに自在に分解して搬送し、現地で簡単に短時間で組立て、また、キャンプ終了後に分解して持ち帰ることが容易である。しかも、それぞれの角材は単純な形状であるので、間伐材から容易に形成でき、間伐材の有効利用が容易に図れる。またこのテーブル８に組み合わせる方形コンロ１０は、金属の２重壁から形成しており、内壁と外壁に十分な間隔を置いているので、外壁が過熱し過ぎることは無く、間伐材の角材を焦がすことはない構造のものであり、安心して使用できるものである。
【００２９】
【発明の効果】
以上説明したように、本発明は、檜などの間伐材を有効利用するためにその角材を形状化し、クギやねじを用いることなく容易にかつ短時間で組立てることができ、また、分解することができ、搬送も容易な構造であり、かつ、安定性も良好で頑強であるので、野外のキャンプ地や家庭のガーデンライフに簡単に設置・取り外しができ、アウトドアに最適の利便性の高い間伐材を有効利用したバーベキュー用コンロ付き組立テーブルである。
【図面の簡単な説明】
【図１】  金属フレーム台の構造を説明する斜視図である。
【図２】  （ａ）はテーブル脚の取付け構造を一部断面で示す図であり、（ｂ）は使用する部材のねじ付き鉄棒の斜視図である。
【図３】  テーブルの組立て構造を示す斜視図である。
【図４】  方形空隙部を開口したテーブルの斜視図である。
【図５】  バーベキュー用コンロ付き組立テーブルの組立てを説明する斜視図である。
【図６】  吊り下げ用金属帯板を取付けた方形コンロの斜視図で、（ａ）はコンロ使用のため張出フランジより上に方形コンロの上部を出した図で、（ｂ）はコンロ収納のため張出フランジより下方に方形コンロの上端を下げた図である。
【図７】  金属Ｌ形材と吊り下げ用金属帯板の斜視図である。
【図８】  バーベキュー用コンロ付き組立テーブルの使用状態の完成図を示す斜視図である。
【図９】  バーベキュー用コンロ付き組立テーブルの未使用状態とするための説明図である。
【図１０】  バーベキュー用コンロ付き組立テーブルの未使用時のテーブル状態とした斜視図である。
【図１１】  バーベキュー用コンロ付き組立テーブルの分解方法を説明する斜視図である。
【符号の説明】
１  組立テーブル
２  角材
３  長尺角材
４  短尺角材
５  方形空隙部
６  金属フレーム
７  金属フレーム台
８  テーブル
９  二重金属枠体
１０  方形コンロ
１１  吊り下げ用金属帯板
１２  上端
１３  張出フランジ
１４  水平板
１５  垂直板
１６  断面Ｌ形
１７  金属Ｌ形材
１８  端
１９  垂直係止板
２０  長尺金属Ｌ形材
２０ａ  凹み
２１  中尺幅広金属Ｌ形材
２２  幅広水平板
２３  孔
２４  孔
２５  立ち上げ部
２６  短尺金属Ｌ形材
２７  孔
２８  テーブル脚
２９  ボルト孔
３０  ボルト
３１  ボルト孔
３２  開口部３５
３３  ボルトねじ付き鉄棒
３３ａ  ねじ孔
３４  端部
３５  ４隅
３６  分断端部
３７  ねじ孔
３８  当て板
３９  ねじ孔
４０  ねじ
４１  係止部
４２  切込みスリット
４３  角材下面
４４  内側端
４５  欠け継ぎ凹部
４６  欠け継ぎ凹部
４７  下方先端部
４８  縦壁
４９  縦壁受け具
５０  縦壁上端
５１  垂直長さ
５２  垂直長さ
５３  縦壁下部位置
５４  挿入穴
５５  縦壁下端
５６  上端
５７  上面
５８  方形凹部
５９  蓋板
６０  上面
６１  矢印
６２  矢印
６３  矢印
６４  矢印
【図１】
0003723162.tif 000002
【図２】
0003723162.tif 000003
【図３】
0003723162.tif 000004
【図４】
0003723162.tif 000005
【図５】
0003723162.tif 000006
【図６】
0003723162.tif 000007
【図７】
0003723162.tif 000008
【図８】
0003723162.tif 000009
【図９】
0003723162.tif 000010
【図１０】
0003723162.tif 000011
【図１１】
0003723162.tif 000012